(57)【要約】【課題】巻取体の大きさに係わらず作業者が容易に巻取体用パレットに載っている巻取体を移載でき作業性の良い巻取体用パレットを提供する。【解決手段】巻取体を載せるための角度の異なる２平面が交わる谷形状の上面を有する巻取体支持部と、フォークと前記巻取体支持部との間における前記巻取体の受渡において前記巻取体と接触せずに前記フォークの進入と退出をするため前記上面の下側に設けられたフォーク入出部と、前記巻取体支持部と前記フォーク入出部とを一体支持するパレット部と、前記フォークを進入し前記パレット部を支持するために前記パレット部に設けられたフォーク支持部とを有するようにした巻取体用パレット。【選択図】      図１
2005324838.tif 000002
【特許請求の範囲】
【請求項１】
巻取体を載せるための角度の異なる２平面が交わる谷形状の上面を有する巻取体支持部と、フォークと前記巻取体支持部との間における前記巻取体の受渡において前記巻取体と接触せずに前記フォークの進入と退出をするため前記上面の下側に設けられたフォーク入出部と、前記巻取体支持部と前記フォーク入出部とを一体支持するパレット部と、前記フォークを進入し前記パレット部を支持するために前記パレット部に設けられたフォーク支持部とを有することを特徴とする巻取体用パレット。
【発明の詳細な説明】
【技術分野】
【０００１】
本発明は巻取体を取扱う技術分野に属する。特に、巻取体を載せる巻取体用パレットに関する。
【背景技術】
【０００２】
図５に示すような角度の異なる２平面が交わる谷形状の上部面を有する巻取体用パレット（Ｖ字パレットとも呼ぶ）が知られている。円柱形状の巻取体はこの谷形状に載せることによって転がらずに安定する。転がり防止としては、谷形状とする代わりに、くさび形状の部材を設けることも行われている。また巻取体用パレットにはフォークリフトのフォークを進入させ巻取体用パレット支持させるためのフォーク進入部が設けられている。
【０００３】
図５に示すような従来の巻取体用パレットにおいては、載せられている巻取体を巻取体用パレットごと移動するときには、フォークリフトを使用することにより容易に移動することができる。しかしながら、載せられている巻取体を巻取体用パレットから分離して移動し載せ直すときには、すなわち移載するときにはフォークリフトを使用することができない。
【０００４】
したがって、巻取体を移載するときには、従来は、ａ）天狗式フォークリフトで巻取体のコア部（紙管）を引っ掛けて持ち上げる方法、ｂ）巻取体のコア部に心棒を通し、その心棒をホイスト等の天井クレーンで持ち上げて積載する方法、が行われている。
【０００５】
しかし、天狗式フォークリフトを使用するａ）の方法では、次のような巻取体の態様に制約がある。a1）コア部が十分広いこと（狭いと天狗をコアに入れ難い）、a2）巻取幅が余り長くないこと（長いと天狗の強度が弱くなり易く持ち上げられない）。また、天井クレーンを使用するｂ）の方法では、クレーンで持ち上げる前後において作業者が心棒を巻取体のコア部に挿し抜きする作業を必要とする。特に、巻取体が大きいときには心棒も重くなり、作業性が極めて悪い。
【発明の開示】
【発明が解決しようとする課題】
【０００６】
本発明の目的は巻取体の大きさに係わらず作業者が容易に巻取体用パレットに載っている巻取体を移載でき作業性の良い巻取体用パレットを提供することにある。
【課題を解決するための手段】
【０００７】
本発明の請求項１に記載の巻取体用パレットは、巻取体を載せるための角度の異なる２平面が交わる谷形状の上面を有する巻取体支持部と、フォークと前記巻取体支持部との間における前記巻取体の受渡において前記巻取体と接触せずに前記フォークの進入と退出をするため前記上面の下側に設けられたフォーク入出部と、前記巻取体支持部と前記フォーク入出部とを一体支持するパレット部と、前記フォークを進入し前記パレット部を支持するために前記パレット部に設けられたフォーク支持部とを有するようにしたものである。
【発明の効果】
【０００８】
本発明の請求項１に記載の巻取体用パレットによれば、巻取体支持部が角度の異なる２平面が交わる谷形状の上面を有するから巻取体を載せることができ、フォーク入出部が上面の下側に設けられ巻取体と接触せずにフォークの進入と退出ができるからフォークと巻取体支持部との間における巻取体の受渡ができ、パレット部により巻取体支持部とフォーク入出部とが一体支持され、そのパレット部にフォーク支持部が設けられているからフォークをそこに進入しパレット部、すなわち巻取体用パレットを支持し昇降することができる。したがって、巻取体の大きさに係わらず作業者が容易に巻取体用パレットに載っている巻取体を移載でき作業性の良い巻取体用パレットが提供される。
【発明を実施するための最良の形態】
【０００９】
本発明の巻取体用パレットについて実施の形態を説明する。まず本発明の巻取体用パレットにおける構成について図１を参照して説明する。図１は巻取体とともに本発明の巻取体用パレットの構成を示す図である。図１において、１ａ，１ｂ，１ｃは巻取体支持部、２ａ，２ｂはフォーク入出部、３はパレット部、４ａ，４ｂはフォーク支持部、１００は巻取体、１０１はコア部である。
【００１０】
巻取体支持部１ａ，１ｂ，１ｃは、図１に示す一例においては３つに分離して配列する同形状の巻取体支持部である。本発明は巻取体支持部の個数によって限定されない。個数は任意である。たとえば巻取体支持部１ａの１つだけ、または巻取体支持部１ｂ，１ｃの２つだけであってもよい。巻取体支持部１ａ，１ｂ，１ｃは、角度の異なる２平面が交わる谷形状の上面を有する。巻取体１００の直径がある程度以上に限定されているならば、２平面が交わらない分離した形態、すなわち、対向する２つのくさび形の巻取体支持部とすることができる。２平面が交わることにより直径が小さな巻取体１００であっても確実に支持することができる。
【００１１】
フォーク入出部２ａ，２ｂは、フォークと巻取体支持部１ａ，１ｂ，１ｃとの間における巻取体１００の受渡において巻取体と接触せずにフォークの進入と退出をするため上面の下側に設けられた空間である。図１に示す一例においては、３つに分離して配列する同形状の巻取体支持部が隣接している間に存在する空間である。フォーク入出部２ａ，２ｂは、図１（Ａ）に示す巻取体１００の巻き方向にフォークの進入と退出ができるようにする。すなわち、巻き方向は巻取体支持部１ａ，１ｂ，１ｃの谷形状における谷方向に対して直角方向となる。
【００１２】
パレット部３は、巻取体支持部１ａ，１ｂ，１ｃとフォーク入出部２ａ，２ｂとを一体支持する台板（pallet）である。図１に示す一例においては、パレット部３は脚付の台板であって、左右の側部と中央に床面と接触する３本の脚を有する。３本の脚はすべて角柱を横倒しにした形態のものであって、脚の長手方向は巻取体支持部巻取体用パレットの谷形状における谷方向に対して直角方向となっている。
【００１３】
フォーク支持部４ａ，４ｂは、フォーク２００を進入しパレット部を支持し昇降するためにパレット部３に設けられた部分である。図１に示す一例においては、フォーク支持部４ａ，４ｂは、パレット部３における３本の脚が隣接している間に存在する空間である。すなわち、右側の脚と中央の脚の間にフォーク支持部４ａが設けられ、中央の脚と左側の脚の間にフォーク支持部４ａが設けられている。
【００１４】
以上の構成において、次に、本発明の巻取体用パレットにおける使用方法について図２〜図４を参照して説明する。
フォーク２００によって巻取体１００を支持し昇降するときの状態を図２に示す。たとえば、巻取体、材料等の積み降ろしを行うプラット（plat）において、トラックに積まれた巻取体１００をフォークリフトのフォークで受け取るときにはフォーク２００によって、図２に示すように、巻取体１００を支持することが行われる。
【００１５】
フォーク２００と巻取体用パレットの巻取体支持部１ａ，１ｂ，１ｃとの間において巻取体１００を受渡すときの状態を図３に示す。図３に示すように、フォーク２００をフォーク入出部２ａ，２ｂに位置合わせして降下させる。フォーク２００はフォーク入出部２ａ，２ｂとしての空間に進入する。巻取体１００もフォーク２００の降下に合わせて降下する。降下により巻取体１００の周面が巻取体支持部１ａ，１ｂ，１ｃの表面と接触すると、反作用による力を受ける。そして、さらに降下すると巻取体１００を支持する主体はフォーク２００から巻取体支持部１ａ，１ｂ，１ｃに移行する。
【００１６】
フォーク２００を巻取体用パレットのフォーク入出部２ａ，２ｂから退出したときの状態を図４に示す。フォークリフトを後退させてフォーク２００を巻取体１００の巻き方向に退出すことにより、フォーク２００は巻取体１００から開放され、巻取体用パレットは巻取体支持部１ａ，１ｂ，１ｃにおいて巻取体１００を支持するようになる。
【００１７】
図４の状態において、フォーク２００を更に床面の近くまで降下させ、フォークリフトを前進させると、フォーク２００はフォーク支持部４ａ，４ｂに進入される。その進入の後においてフォーク２００を上昇させると、フォーク２００は巻取体用パレットを支持し上昇することになる。巻取体用パレットには巻取体１００が載せられているから、巻取体用パレットごと巻取体１００を所定の場所に移動することができる。
【００１８】
また、前述の過程の逆過程を行うことができる。すなわち、図４に示す状態において、フォークリフトを前進させると、フォーク２００はフォーク入出部２ａ，２ｂに進入し図３に示す状態となる。次に、フォーク２００を上昇させると、フォーク２００は巻取体１００だけを支持し上昇することになる。すなわち、図２に示す状態となる。そして、その巻取体１００を支持したままフォークリフトを移動することができる。これにより、巻取体用パレットから分離して巻取体１００だけを所定の場所に移動することができる。
【図面の簡単な説明】
【００１９】
【図１】巻取体とともに本発明の巻取体用パレットの構成を示す図である。
【図２】本発明の巻取体用パレットにおける使用方法の説明図（その１）である。
【図３】本発明の巻取体用パレットにおける使用方法の説明図（その２）である。
【図４】本発明の巻取体用パレットにおける使用方法の説明図（その３）である。
【図５】従来の巻取体用パレットの一例を示す図である。
【符号の説明】
【００２０】
１ａ，１ｂ，１ｃ  巻取体支持部
２ａ，２ｂ  フォーク入出部
３  パレット部
４ａ，４ｂ  フォーク支持部
１００  巻取体
１０１  コア部
【図１】
2005324838.tif 000003
【図２】
2005324838.tif 000004
【図３】
2005324838.tif 000005
【図４】
2005324838.tif 000006
【図５】
2005324838.tif 000007